(57)【要約】      （修正有）【課題】温暖化による気温の上昇にともない地域によっては農地での露地物野菜栽培が出来なくなり又ビニルハウスによる栽培も原油高や台風被害冬の雪による被害など今後農業経営はますますきびしくなるのですこしでも農家の負担を軽減し経営の安定の為低価格で建設可能の野菜生産工場を提供する。漁業においても海水の温度上昇で海藻の生育の変化魚や貝の生育場所が無くなり又雨量の変化による河川の水位の低下により鳥類による魚の乱獲による損失を軽減する為低価格の間伐材利用の魚礁を提供する。【解決手段】｛１｝野菜生産工場部材固定は合掌用スライド式治具を２Ｍ間隔で梁に固定する。｛２｝柱と梁の固定は差し込み式治具を３Ｍ間隔で梁に固定する。｛３｝魚礁間伐材固定治具この治具は長さ２Ｍの外枠に間伐材固定の内枠を落とし込み固定する。なおこの魚礁は小型漁船にて運搬可能で有る。【選択図】図１
2007051529.tif 000002
【特許請求の範囲】
【請求項１】
スライド式治具
枠を外枠と内枠の二重構造とし内枠をスライド式で梁に固定し合掌を落とし込むなをこの治具は建方のさい仮ボルト不用の仕組みで有る
【請求項２】
差し込み式治具
この治具は梁の下フランジに差し込みボルトで固定し柱のウェブに落とし込みボルトで固定する
【請求項３】
魚礁間伐材固定治具
この治具はチェン式の外枠に間伐材固定用内枠を落とし込み外枠にボルトで固定する外枠の固定はコンクリート基礎ブロックに固定するなをこの魚礁は小型漁船にて運搬可能で魚礁の巾１、８Ｍ長さ１０Ｍ高さ間伐材５本可能
【発明の詳細な説明】
【技術分野】
【０００１】本発明は農林水産業の保護育成に関する物で有る
【背景技術】
【０００２】｛１｝温暖化による気候の変化気温の上昇にともない農作物の露地栽培がむづかしくビニルハウスによる栽培も原油高による経営の圧迫夏の台風被害冬の雪と農家を取りまく環境は厳しい
｛２｝漁業を取りまく環境も海水の温度の上昇による被害雨量の変化による河川の水位の低下により鳥類にとっては魚の捕獲がしゃすく魚類の損失がめだつ
【発明の開示】
【発明が解決しょうとする課題】
【０００３】温暖化による従来の作物の生産生育状況の変化地域によっては今後農地露地物栽培が難しい又ビニルハウスによる栽培も原油高台風冬の雪による被害など農業経営の厳しい現状を軽減する又漁業も河川の水位の低下により鳥類の魚の乱獲による損失を軽減する本発明はこれらの問題点を解決する為になされた物で有る
【問題を解決するための手段】
【０００４】治具の部品は鋼材を加工した物で有るこの治具は外枠と内枠の二重構造で有る組立方法は［Ａー１］［Ａー２］［Ａー３］の外枠と［Ａー４］［Ａー４Ａ］［Ａー５］［Ａー５Ａ］［Ａー６］［Ａー７］［Ａー８］［Ａー９］［Ａー１０］の内枠を組み合わせた物で内枠をスライド式で治具の中央でボルトで固定する合掌取合治具と［Ａー１１］［Ａー１２］［Ａー１３］［Ａー１４］［Ａー１５］［Ａー１６］［Ａー１７］を組み合わせた柱と梁を固定する治具で有る
魚礁間伐材固定治具［Ｂー１］［Ｂー２］［Ｂー３］の外枠と［Ｂー４］［Ｂー５］「Ｂー６］［Ｂー７］［Ｂー８］［Ｂー９］［Ｂー１０］の内枠を組み合わせた物で内枠を落とし込み外枠にボルトで固定する金物と間伐材固定金物［Ｂー１２］と金物「Ｂー１１］をボルトで連結固定する
【発明の効果】
【０００５】本発明の治具を使用する事により低価格で野菜生産工場建設可能でビニルハウスとは違った安定した農業経営が出来将来の食料事情に貢献出来経済効果有り
又魚礁も間伐材を使用する事により林業の活性化及び海藻を育て魚の生育と保護と一石二鳥の経済効果有り
【発明を実施するための最良の形態】
【０００６】以下本発明の実施の形態を説明する
｛１｝スライド式治具この治具の部品は鋼材を加工した物で枠を外枠と内枠の二重構造で内枠をスライド式で梁に固定し合掌を落とし込み固定するなおこの治具は２Ｍ間隔で梁に固定する
｛２｝差し込み式治具この治具は梁の下フランジに差し込み梁に固定し柱のウェブに落とし込みボルトで固定するなおこの治具は３Ｍ間隔で梁に固定する
｛３｝魚礁間伐材固定治具この治具は長さ２Ｍのチェン式の外枠に直径約２０センチ長さ１、８Ｍの間伐材を固定する内枠を外枠に差し込み固定するなお外枠の固定はコンクリート基礎ブロックに固定する
なおこの魚礁は分解すると人力及び小型漁船にて運搬でき経済的で有る
【図面の簡単な説明】
【０００７】
【図１】平面図
【図２】正面図
【図３】平面図
【図４】正面図
【図５】平面図
【図６】正面図
【図７】正面図
【図８】正面図
【図９】正面図
【図１０】正面図
【図１１】正面図
【図１２】側面図
【図１３】平面図
【図１４】正面図
【図１５】平面図
【図１６】正面図
【符号の説明】
【０００８】［Ａー１］内枠固定部品
［Ａー２］外枠固定及び内枠固定部品
［Ａー３］外枠内枠連結部品
［Ａー４］合掌固定部品
［Ａー４Ａ］合掌固定部品
［Ａー５］内枠固定部品
［Ａー５Ａ］内枠固定部品
［Ａー６］内枠固定部品
［Ａー７］内枠補強部品
［Ａー８］治具固定部品
［Ａー９］治具固定部品
［Ａー１０］治具固定位置基準部品
［Ａー１１］柱固定補強部品
［Ａー１２］治具固定梁側固定部品
［Ａー１３］治具補強部品
［Ａー１４］治具柱側固定部品
［Ａー１５］治具梁側固定部品
［Ａー１６］治具補強部品
［Ａー１７］治具補強部品
［Ｂー１］内枠固定部品
［Ｂー１Ａ］外枠連結部品
［Ｂー１Ｂ］外枠連結部品
［Ｂー１Ｄ］内枠固定部品
［Ｂー２］コンクリート基礎ブロック固定部品
［Ｂー２Ａ］コンクリート基礎ブロック固定部品
［Ｂー３］外枠補強部品
［Ｂー４］間伐材固定金具固定部品
［Ｂー４Ａ］間伐材固定金具固定部品
［Ｂー５］内枠固定部品
［Ｂー５Ａ］内枠固定部品
［Ｂー６］内枠補強部品
［Ｂー６Ａ］内枠補強部品
［Ｂー７］間伐材固定金具固定部品
［Ｂー８］間伐材固定金具固定部品の補強部品
［Ｂー９］間伐材固定金具ストッパ部品
［Ｂー１０］間伐材固定部品
「Ｂー１１］間伐材連結部品
［Ｂー１１Ａ］間伐材連結部品
［Ｂー１２］間伐材連結部品
［Ｂー１２Ａ］間伐材連結部品
【図１】
2007051529.tif 000003
【図２】
2007051529.tif 000004
【図３】
2007051529.tif 000005
【図５】
2007051529.tif 000006
【図６】
2007051529.tif 000007
【図７】
2007051529.tif 000008
【図８】
2007051529.tif 000009
【図９】
2007051529.tif 000010
【図１０】
2007051529.tif 000011
【図１１】
2007051529.tif 000012
【図１２】
2007051529.tif 000013
【図１３】
2007051529.tif 000014
【図１４】
2007051529.tif 000015
【図１５】
2007051529.tif 000016
【図１６】
2007051529.tif 000017
【手続補正書】
【提出日】平成18年4月25日(2006.4.25)
【手続補正１】
【補正対象書類名】明細書
【補正対象項目名】０００７
【補正方法】変更
【補正の内容】
【０００７】
【図１】平面図
【図２】正面図
【図３】平面図
【図４】正面図
【図５】平面図
【図６】正面図
【図７】正面図
【図８】正面図
【図９】正面図
【図１０】正面図
【図１１】正面図
【図１２】側面図
【図１３】平面図
【図１４】側面図
【図１５】正面図
【図１６】平面図
【図１７】側面図
【図１８】正面図
【図１９】平面図
【図２０】正面図
【図２１】平面図
【図２２】側面図
【図２３】正面図
【図２４】平面図
【図２５】側面図
【図２６】正面図
【図２７】平面図
【図２８】側面図
【手続補正２】
【補正対象書類名】明細書
【補正対象項目名】０００８
【補正方法】変更
【補正の内容】
【０００８】［Ａー１］内枠固定部品
［Ａー２］外枠固定及び内枠固定部品
［Ａー３］外枠内枠連結部品
［Ａー４］合掌固定部品
［Ａー５］内枠固定部品
［Ａー４Ａ］合掌固定部品
［Ａー５Ａ］内枠固定部品
［Ａー６］内枠固定部品
［Ａー７］内枠補強部品
［Ａー８］治具固定部品
［Ａー９］治具固定部品
［Ａー１０］治具固定位置基準部品
［Ａー１１］柱固定補強部品
［Ａー１２］治具固定梁側固定部品
［Ａー１３］治具補強部品
［Ａー１４］治具柱側固定部品
［Ａー１５］治具梁側固定部品
［Ａー１６］治具補強部品
［Ａー１７］治具補強部品
［Ｂー１］外枠連結部品
［Ｂー２］治具ベースプレート部品
［Ｂー３］外枠補強部品
［Ｂー４］内枠金物固定部品
［Ｂー５］外枠連結部品
［Ｂー６］折りたたみ連結部品
［Ｂー７］魚礁水没用具固定部品
［Ｂー８］間伐材固定内枠部品
［Ｂー９］外枠内枠固定部品
［Ｂー１０］間伐材固定部品
［Ｂー１１］水没用具固定部品
［Ｃー１］間伐材固定部品
［Ｃー２］魚礁連結部品
［Ｃー３］連結金物補強部品
［Ｃー４］間伐材固定部品
［Ｄー１］内枠固定部品
［Ｄー２］外枠補強部品
［Ｄー３］外枠付内枠ブロック固定部品
［Ｄー４］外枠付内枠ブロック固定部品
［Ｄー５］外枠連結部品
［Ｄー６］連結用補強部品
［Ｄー７］折りたたみ用連結部品
［Ｄー８］内枠ブロック部品
［Ｄー９］内枠ブロック固定部品
［Ｄー１０］内枠ブロック固定部品
［Ｅー１］間伐材固定ブロック連結部品
［Ｅー２］ブロック連結金物固定部品
［Ｅー３］連結金物固定部品
［Ｅー４］間伐材固定部品
［Ｆー１］魚礁用具固定部品
［Ｆー２］魚保護サク固定部品
［Ｆー２Ａ］魚保護サク連結部品
［Ｆー３］鋼管固定部品
［Ｆー４］魚保護部品
［Ｆー５］金網固定部品
［Ｇー１］間伐材固定部品
［Ｇー２］連結部品
［Ｇー３］連結部品
［Ｇー４］間伐材固定金物台部品
［Ｇー５］補強部品
［Ｇー６］補強部品
【手続補正３】
【補正対象書類名】図面
【補正対象項目名】全図
【補正方法】変更
【補正の内容】
【図１】
2007051529.tif 000018
【図２】
2007051529.tif 000019
【図３】
2007051529.tif 000020
【図４】
2007051529.tif 000021
【図５】
2007051529.tif 000022
【図６】
2007051529.tif 000023
【図７】
2007051529.tif 000024
【図８】
2007051529.tif 000025
【図９】
2007051529.tif 000026
【図１０】
2007051529.tif 000027
【図１１】
2007051529.tif 000028
【図１２】
2007051529.tif 000029
【図１３】
2007051529.tif 000030
【図１４】
2007051529.tif 000031
【図１５】
2007051529.tif 000032
【図１６】
2007051529.tif 000033
【図１７】
2007051529.tif 000034
【図１８】
2007051529.tif 000035
【図１９】
2007051529.tif 000036
【図２０】
2007051529.tif 000037
【図２１】
2007051529.tif 000038
【図２２】
2007051529.tif 000039
【図２３】
2007051529.tif 000040
【図２４】
2007051529.tif 000041
【図２５】
2007051529.tif 000042
【図２６】
2007051529.tif 000043
【図２７】
2007051529.tif 000044
【図２８】
2007051529.tif 000045